(57)【要約】【課題】患者の服薬管理を確実に行う。【解決手段】患者が有する携帯通信端末１がレシートタグ２から処方箋ＩＤを読み取り、読み取った処方箋ＩＤをデータ管理サーバ５に問い合わせることで、携帯通信端末１にて処方内容情報を受信する。携帯通信端末１には、予め患者の食事や起床、就寝時間が登録されているので、受信した処方内容情報に基づいて、具体的な服薬時期を示す服用時期情報を作成し、これに基づいて服薬スケジュールを登録することができる。【選択図】図１
2015153028.tif 000002
【特許請求の範囲】
【請求項１】
医療機関において処方された医薬品を服用すべき患者が有する携帯通信端末と、
前記医療機関より前記医薬品とともに患者に渡される、当該医薬品を処方するための処方箋を識別する識別子である処方箋ＩＤを記憶した近距離無線通信媒体である処方箋ＩＤタグと、
前記処方箋ＩＤと、当該処方箋の内容を示す情報である処方内容情報と、を予め関連付けて記憶し、ネットワークを介して前記携帯通信端末と通信可能なデータ管理サーバと、
を有し、
前記携帯通信端末は、前記第１近距離無線通信タグと近距離無線通信を行うことにより当該処方箋ＩＤタグから前記処方箋ＩＤを読み取り、前記ネットワークを介して前記データ管理サーバに当該処方箋ＩＤを送信し、
前記データ管理サーバは、前記携帯通信端末からの前記処方箋ＩＤの送信に応じて、当該処方箋ＩＤと関連付けられた処方内容情報を前記ネットワークを介して前記携帯通信端末に送信し、
前記携帯通信端末は、前記データ管理サーバから送信された前記処方内容情報に基づいて、患者が前記医薬品を服用すべき時期を示す服用時期情報を生成し、当該服用時期情報に基づいて患者に服用時期の報知を行う
服薬管理システム。
【請求項２】
前記医療機関において使用される端末装置である医療機関端末
をさらに有し、
当該医療機関端末は、前記医薬品が前記患者に処方されるとき、当該医薬品を処方するための処方箋を識別する識別子である前記処方箋ＩＤと、前記処方内容情報と、の入力を受け付け、入力された前記処方箋ＩＤと前記処方内容情報とを前記ネットワークを介して前記データ管理サーバに送信する
請求項１または２に記載の服薬管理システム。
【請求項３】
前記携帯通信端末は、患者の生活サイクルを示す情報である生活時間情報を予め患者に入力させるとともに、入力された生活時間情報を前記データ管理サーバに送信し、
前記前記データ管理サーバは、送信された前記生活時間情報を、患者を識別する識別子である患者ＩＤと関連付けて記憶し、
前記携帯通信端末は、前記データ管理サーバから送信された前記処方内容情報と、前記生活時間情報と、に基づいて、前記服用時期情報を生成する
請求項１または２に記載の服薬管理システム。
【請求項４】
前記医薬品のパッケージ内に、当該医薬品とともに封入された、当該医薬品を識別する識別子である医薬品ＩＤを記憶した近距離無線通信媒体である医薬品ＩＤタグ
をさらに有し、
前記医薬品ＩＤタグを封入する前記医薬品のパッケージは、当該医薬品ＩＤタグの近距離無線通信に使用される帯域の電波を遮断する素材で構成されており、
前記携帯通信端末は、患者が前記医薬品のパッケージを開封したとき、当該パッケージに封入されていた前記医薬品ＩＤタグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服用記録情報を生成し、前記ネットワークを介して当該生成した服用記録情報を前記データ管理サーバに送信し、
前記データ管理サーバは、前記携帯通信端末から受信した前記服用記録情報を、前記患者ＩＤと関連付けて記憶する
請求項３に記載の服薬管理システム。
【請求項５】
医療機関において処方された医薬品を服用すべき患者が有する携帯通信端末と、
近距離無線通信に使用される帯域の電波を遮断する素材で構成された前記医薬品のパッケージ内に、前記医薬品とともに封入され、当該医薬品を識別する識別子である医薬品ＩＤを記憶した近距離無線通信媒体である医薬品ＩＤタグと、
ネットワークを介して前記携帯通信端末と通信可能なデータ管理サーバと、
を有し、
前記携帯通信端末は、患者が前記医薬品のパッケージを開封したとき、当該パッケージに封入されていた前記医薬品ＩＤタグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服用記録情報を生成し、当該生成した服用記録情報を前記ネットワークを介して前記データ管理サーバに送信し、
前記データ管理サーバは、前記携帯通信端末から受信した前記服用記録情報を、患者を識別する識別子である患者ＩＤと関連付けて記憶する
服薬管理システム。
【請求項６】
医療機関において処方された医薬品を服用すべき患者が有する携帯通信端末とネットワークを介した通信が可能なデータ管理サーバであって、
前記データ管理サーバは、前記処方箋ＩＤと、当該処方箋の内容を示す情報である処方内容情報と、を予め関連付けて記憶しており、
前記データ管理サーバは、
前記携帯通信端末が、前記医療機関より前記医薬品とともに患者に渡される、当該医薬品を処方するための処方箋を識別する識別子である処方箋ＩＤを記憶した近距離無線通信媒体である処方箋ＩＤタグと近距離無線通信を行うことにより当該処方箋ＩＤタグから前記処方箋ＩＤを読み取り、前記ネットワークを介して当該処方箋ＩＤを送信してきたとき、当該処方箋ＩＤと関連付けられた処方内容情報を読み出して前記ネットワークを介して前記携帯通信端末に送信する
データ管理サーバ。
【請求項７】
医療機関において処方された医薬品を服用すべき患者が有する携帯通信端末とネットワークを介した通信が可能なデータ管理サーバであって、
前記データ管理サーバは
前記携帯通信端末が、患者が、電波を遮断する素材で構成された前記医薬品のパッケージを開封したとき、当該パッケージ内に当該医薬品とともに封入された、当該医薬品を識別する識別子である医薬品ＩＤを記憶した近距離無線通信媒体である医薬品タグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服用記録情報を生成し、当該生成した服用記録情報を前記ネットワークを介して前記データ管理サーバに送信してきたとき、前記携帯通信端末から受信した前記服用記録情報を、患者を識別する識別子である患者ＩＤと関連付けて記憶する
データ管理サーバ。
【請求項８】
医療機関において処方された医薬品を服用すべき患者が有する携帯通信端末において動作する、患者の服薬を管理するための服薬管理アプリケーションであって、
当該服薬管理アプリケーションは、
前記医療機関より前記医薬品とともに患者に渡される、当該医薬品を処方するための処方箋を識別する識別子である処方箋ＩＤを記憶した近距離無線通信媒体である処方箋ＩＤタグと近距離無線通信を行うことにより当該処方箋ＩＤタグから前記処方箋ＩＤを読み取り、
当該処方箋ＩＤを、前記ネットワークを介して、処方箋ＩＤと当該処方箋の内容を示す情報である処方内容情報と、を予め関連付けて記憶するデータ管理サーバに送信して、当該処方箋ＩＤに関連付けられた処方内容情報の送信を要求し、
前記データ管理サーバから送信された前記処方内容情報に基づいて、患者が前記医薬品を服用すべき時期を示す服用時期情報を生成し、当該服用時期情報に基づいて患者に服用時期の報知を行う
服薬管理アプリケーション。
【請求項９】
医療機関において処方された医薬品を服用すべき患者が有する携帯通信端末において動作する、患者の服薬を管理するための服薬管理アプリケーションであって、
当該服薬管理アプリケーションは、
患者が、近距離無線通信に使用される帯域の電波を遮断する素材で構成された前記医薬品のパッケージを開封したとき、当該パッケージ内に当該医薬品とともに封入された、当該医薬品を識別する識別子である医薬品ＩＤを記憶した近距離無線通信媒体である医薬品タグと近距離無線通信を行うことにより当該医薬品ＩＤタグから前記医薬品ＩＤを読み取り、
当該医薬品ＩＤを読み取ったことを条件に、患者が医薬品を服用したとして服用した医薬品と服用時間を示す情報である服用記録情報を生成し、当該生成した服用記録情報を前記ネットワークを介してデータ管理サーバに送信する
服薬管理アプリケーション。
【請求項１０】
医療機関において処方された医薬品を服用すべき患者が有する携帯通信端末と、
前記医療機関より前記医薬品とともに患者に渡される、当該医薬品を処方するための処方箋を識別する識別子である処方箋ＩＤを記憶した近距離無線通信媒体である処方箋ＩＤタグと、
前記処方箋ＩＤと、当該処方箋の内容を示す情報である処方内容情報と、を予め関連付けて記憶し、ネットワークを介して前記携帯通信端末と通信可能なデータ管理サーバと、
を有する服薬管理システムにおける服薬管理方法であって、
前記携帯通信端末が、前記第１近距離無線通信タグと近距離無線通信を行うことにより当該処方箋ＩＤタグから前記処方箋ＩＤを読み取り、前記ネットワークを介して前記データ管理サーバに当該処方箋ＩＤを送信する工程と、
前記データ管理サーバが、前記携帯通信端末からの前記処方箋ＩＤの送信に応じて、当該処方箋ＩＤと関連付けられた処方内容情報を前記ネットワークを介して前記携帯通信端末に送信する工程と、
前記携帯通信端末が、前記データ管理サーバから送信された前記処方内容情報に基づいて、患者が前記医薬品を服用すべき時期を示す服用時期情報を生成し、当該服用時期情報に基づいて患者に服用時期の報知を行う工程と、
を有する服薬管理方法。
【請求項１１】
医療機関において処方された医薬品を服用すべき患者が有する携帯通信端末と、
近距離無線通信に使用される帯域の電波を遮断する素材で構成された前記医薬品のパッケージ内に、前記医薬品とともに封入され、当該医薬品を識別する識別子である医薬品ＩＤを記憶した近距離無線通信媒体である医薬品ＩＤタグと、
ネットワークを介して前記携帯通信端末と通信可能なデータ管理サーバと、
を有する服薬管理システムにおける服薬管理方法であって、
前記携帯通信端末が、患者が前記医薬品のパッケージを開封したとき、当該パッケージに封入されていた前記医薬品ＩＤタグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服用記録情報を生成し、当該生成した服用記録情報を前記ネットワークを介して前記データ管理サーバに送信する工程と、
前記データ管理サーバが、前記携帯通信端末から受信した前記服用記録情報を、患者を識別する識別子である患者ＩＤと関連付けて記憶する工程と、
を有する服薬管理方法。
【発明の詳細な説明】
【技術分野】
【０００１】
本発明は、患者に処方された医薬品の服用を管理する服薬管理システム、データ管理サーバ、服薬管理アプリケーションおよび服薬管理方法に関する。
【背景技術】
【０００２】
病院や薬局等の医療機関において、患者の症状に応じて医薬品が処方される。処方された医薬品は、予め定められた時間や量の指示に従って服用されるべきであるが、患者が服用の指示自体を忘れてしまう等の原因によって、必ずしも指示通りに服用されるとは限らない。
処方された医薬品が服用されることは、患者の生命や健康を維持するために必要であるため、医療機関としては、処方された医薬品が患者に服用されたかを確実に管理したいという要望がある。
【０００３】
患者に処方した医薬品の服薬管理を行う技術として、例えば特許文献１には、電子メール機能を搭載し、医薬品の所定期間における服用指定日時に関する服用スケジュール情報を配信する１以上の情報配信装置が、服用スケジュール情報、および当該服用スケジュール情報を配信するクライアント装置の配信先情報を入力し、当該配信先情報に基づいて、患者の携帯電話に対して服用スケジュール情報を配信することが開示されている。
【先行技術文献】
【特許文献】
【０００４】
【特許文献１】特開２００７−２６２５３号公報
【発明の概要】
【発明が解決しようとする課題】
【０００５】
一般に、服用して使用する内服薬は、食前、食後、食間等、患者の食事を基準として服用されることが想定されている。
患者ごとに生活サイクルは異なるため、食事の時間も患者によりまちまちである。したがって、例え同じ医薬品でも、患者ごとに服薬すべき時間が異なることになる。
具体的には、例えば朝食を７時にとる患者は、朝食後服用するべき医薬品を７時半頃に服用することになるが、例えば朝食を１０時にとる患者の場合は、同じ医薬品を１０時半頃服用することになる。
【０００６】
このように、例え同じ医薬品でも、患者ごとに服薬時間が異なるものである。したがって、医療機関が患者の服薬時間を管理しようとすると、患者ごとに服薬時間を逐一設定し、患者ごとに管理を行う必要がある。しかし、医療機関側は患者の食事時間まで把握していない場合が多いため、服薬時間の設定を医療機関が行うことは難しい。医療機関が患者本人に依頼して服薬時間の設定を行わせる方法も考えられるが、設定の手間が患者の負担となり、医薬品を飲むのを忘れてしまうほど不精な患者は、服薬時間の設定を投げ出してしまう可能性が高い。
【０００７】
また、例えば医療機関が患者ごとの服薬時間の管理を行い、服薬時間に報知を行ったとしても、患者は素直に医薬品を服用するとは限らない。例えば医薬品を服用することに強い抵抗を覚える患者は、医薬品を服用したふりをし、実際には捨てたりして、服薬を回避しようとする傾向がある。このような場合、医療機関側は患者が医薬品を服用したものとみなしてしまうため、患者の生命や健康維持のために好ましくない。
【０００８】
本発明は、患者の服薬管理を確実に行うことを目的とする。
【課題を解決するための手段】
【０００９】
本発明の服薬管理システムは、医療機関において処方された医薬品を服用すべき患者が有する携帯通信端末と、前記医療機関より前記医薬品とともに患者に渡される、当該医薬品を処方するための処方箋を識別する識別子である処方箋ＩＤを記憶した近距離無線通信媒体である処方箋ＩＤタグと、前記処方箋ＩＤと、当該処方箋の内容を示す情報である処方内容情報と、を予め関連付けて記憶し、ネットワークを介して前記携帯通信端末と通信可能なデータ管理サーバと、を有し、前記携帯通信端末は、前記第１近距離無線通信タグと近距離無線通信を行うことにより当該処方箋ＩＤタグから前記処方箋ＩＤを読み取り、前記ネットワークを介して前記データ管理サーバに当該処方箋ＩＤを送信し、前記データ管理サーバは、前記携帯通信端末からの前記処方箋ＩＤの送信に応じて、当該処方箋ＩＤと関連付けられた処方内容情報を前記ネットワークを介して前記携帯通信端末に送信し、前記携帯通信端末は、前記データ管理サーバから送信された前記処方内容情報に基づいて、患者が前記医薬品を服用すべき時期を示す服用時期情報を生成し、当該服用時期情報に基づいて患者に服用時期の報知を行う。
【００１０】
第２の発明の服薬管理システムは、医療機関において処方された医薬品を服用すべき患者が有する携帯通信端末と、近距離無線通信に使用される帯域の電波を遮断する素材で構成された前記医薬品のパッケージ内に、前記医薬品とともに封入され、当該医薬品を識別する識別子である医薬品ＩＤを記憶した近距離無線通信媒体である医薬品ＩＤタグと、ネットワークを介して前記携帯通信端末と通信可能なデータ管理サーバと、を有し、前記携帯通信端末は、患者が前記医薬品のパッケージを開封したとき、当該パッケージに封入されていた前記医薬品ＩＤタグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服薬記録情報を生成し、当該生成した服薬記録情報を前記ネットワークを介して前記データ管理サーバに送信し、前記データ管理サーバは、前記携帯通信端末から受信した前記服薬記録情報を、患者を識別する識別子である患者ＩＤと関連付けて記憶する。
【００１１】
第３の発明のデータ管理サーバは、医療機関において処方された医薬品を服用すべき患者が有する携帯通信端末とネットワークを介した通信が可能なデータ管理サーバであって、前記データ管理サーバは、前記処方箋ＩＤと、当該処方箋の内容を示す情報である処方内容情報と、を予め関連付けて記憶しており、前記データ管理サーバは、前記携帯通信端末が、前記医療機関より前記医薬品とともに患者に渡される、当該医薬品を処方するための処方箋を識別する識別子である処方箋ＩＤを記憶した近距離無線通信媒体である処方箋ＩＤタグと近距離無線通信を行うことにより当該処方箋ＩＤタグから前記処方箋ＩＤを読み取り、前記ネットワークを介して当該処方箋ＩＤを送信してきたとき、当該処方箋ＩＤと関連付けられた処方内容情報を読み出して前記ネットワークを介して前記携帯通信端末に送信する。
【００１２】
第４の発明のデータ管理サーバは、医療機関において処方された医薬品を服用すべき患者が有する携帯通信端末とネットワークを介した通信が可能なデータ管理サーバであって、前記データ管理サーバは前記携帯通信端末が、患者が、電波を遮断する素材で構成された前記医薬品のパッケージを開封したとき、当該パッケージ内に当該医薬品とともに封入された、当該医薬品を識別する識別子である医薬品ＩＤを記憶した近距離無線通信媒体である医薬品タグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服薬記録情報を生成し、当該生成した服薬記録情報を前記ネットワークを介して前記データ管理サーバに送信してきたとき、前記携帯通信端末から受信した前記服薬記録情報を、患者を識別する識別子である患者ＩＤと関連付けて記憶する。
【００１３】
第５の発明の服薬管理アプリケーションは、医療機関において処方された医薬品を服用すべき患者が有する携帯通信端末において動作する、患者の服薬を管理するための服薬管理アプリケーションであって、当該服薬管理アプリケーションは、前記医療機関より前記医薬品とともに患者に渡される、当該医薬品を処方するための処方箋を識別する識別子である処方箋ＩＤを記憶した近距離無線通信媒体である処方箋ＩＤタグと近距離無線通信を行うことにより当該処方箋ＩＤタグから前記処方箋ＩＤを読み取り、当該処方箋ＩＤを、前記ネットワークを介して、処方箋ＩＤと当該処方箋の内容を示す情報である処方内容情報と、を予め関連付けて記憶するデータ管理サーバに送信して、当該処方箋ＩＤに関連付けられた処方内容情報の送信を要求し、前記データ管理サーバから送信された前記処方内容情報に基づいて、患者が前記医薬品を服用すべき時期を示す服用時期情報を生成し、当該服用時期情報に基づいて患者に服用時期の報知を行う。
【００１４】
第６の発明の服薬管理アプリケーションは、医療機関において処方された医薬品を服用すべき患者が有する携帯通信端末において動作する、患者の服薬を管理するための服薬管理アプリケーションであって、当該服薬管理アプリケーションは、患者が、近距離無線通信に使用される帯域の電波を遮断する素材で構成された前記医薬品のパッケージを開封したとき、当該パッケージ内に当該医薬品とともに封入された、当該医薬品を識別する識別子である医薬品ＩＤを記憶した近距離無線通信媒体である医薬品タグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服薬記録情報を生成し、当該生成した服薬記録情報を前記ネットワークを介してデータ管理サーバに送信する。
【００１５】
第７の発明の服薬管理方法は、医療機関において処方された医薬品を服用すべき患者が有する携帯通信端末と、前記医療機関より前記医薬品とともに患者に渡される、当該医薬品を処方するための処方箋を識別する識別子である処方箋ＩＤを記憶した近距離無線通信媒体である処方箋ＩＤタグと、前記処方箋ＩＤと、当該処方箋の内容を示す情報である処方内容情報と、を予め関連付けて記憶し、ネットワークを介して前記携帯通信端末と通信可能なデータ管理サーバと、を有する服薬管理システムにおける服薬管理方法であって、前記携帯通信端末が、前記第１近距離無線通信タグと近距離無線通信を行うことにより当該処方箋ＩＤタグから前記処方箋ＩＤを読み取り、前記ネットワークを介して前記データ管理サーバに当該処方箋ＩＤを送信する工程と、前記データ管理サーバが、前記携帯通信端末からの前記処方箋ＩＤの送信に応じて、当該処方箋ＩＤと関連付けられた処方内容情報を前記ネットワークを介して前記携帯通信端末に送信する工程と、前記携帯通信端末が、前記データ管理サーバから送信された前記処方内容情報に基づいて、患者が前記医薬品を服用すべき時期を示す服用時期情報を生成し、当該服用時期情報に基づいて患者に服用時期の報知を行う工程と、を有する。
【００１６】
第８の発明の服薬管理方法は、医療機関において処方された医薬品を服用すべき患者が有する携帯通信端末と、近距離無線通信に使用される帯域の電波を遮断する素材で構成された前記医薬品のパッケージ内に、前記医薬品とともに封入され、当該医薬品を識別する識別子である医薬品ＩＤを記憶した近距離無線通信媒体である医薬品ＩＤタグと、ネットワークを介して前記携帯通信端末と通信可能なデータ管理サーバと、を有する服薬管理システムにおける服薬管理方法であって、前記携帯通信端末が、患者が前記医薬品のパッケージを開封したとき、当該パッケージに封入されていた前記医薬品ＩＤタグと近距離無線通信を行うことにより当該医薬品ＩＤタグから前記医薬品ＩＤを読み取り、当該医薬品ＩＤを読み取ったことを条件に、患者が医薬品を服用したとして服用した医薬品と服用時間を示す情報である服薬記録情報を生成し、当該生成した服薬記録情報を前記ネットワークを介して前記データ管理サーバに送信する工程と、前記データ管理サーバが、前記携帯通信端末から受信した前記服薬記録情報を、患者を識別する識別子である患者ＩＤと関連付けて記憶する工程と、を有する。
【発明の効果】
【００１７】
本発明によれば、患者の服薬管理を確実に行うことができる。
【図面の簡単な説明】
【００１８】
【図１】図１は、本発明の実施形態に係る服薬管理システムの構成の一例を示す図である。
【図２】図２は、医薬品タグを含む医薬品パッケージの構成の一例を示す図である。
【図３】図３は、携帯通信端末の構成の一例を示す図である。
【図４】図４は、レシートタグおよび医薬品タグである近距離無線通信タグの構成の一例を示す図である。
【図５】図５は、医療機関端末の構成の一例を示す図である。
【図６】図６は、データ管理サーバの構成の一例を示す図である。
【図７】図７は、患者が服薬管理システムの利用登録を行うときの動作例を説明するフローチャートである。
【図８】図８は、患者が医療機関において医薬品の処方を受けるときの服薬管理システムの動作例を示すフローチャートである。
【図９】図９は、服薬管理アプリケーションに医薬品の登録をするときの動作例を示すフローチャートである。
【図１０】図１０は、服用時期が来たときに患者に対して報知を行う場合の動作例を示すフローチャートである。
【図１１】図１１は、医薬品を服用後の動作例を示すフローチャートである。
【発明を実施するための形態】
【００１９】
以下、本発明の実施形態について説明する。
図１は、本発明の実施形態に係る服薬管理システム１００の構成の一例を示す図である。
本発明の実施形態に係る服薬管理システム１００は、携帯通信端末１、処方箋タグ２、医薬品タグ３、医療機関端末４、データ管理サーバ５を有する。
処方箋タグ２および医薬品タグ３は、ＮＦＣ（Near Field Communication）タグ等の近距離無線通信タグであり、携帯通信端末１と近距離無線通信可能に構成される。また、携帯通信端末１、医療機関端末４、データ管理サーバ５は、それぞれネットワーク６に接続されており、ネットワーク６を介して互いに通信が可能である。携帯通信端末１、医療機関端末４、データ管理サーバ５の、ネットワーク６との接続方法は、それぞれ無線、有線のいずれでもよい。
【００２０】
以下、服薬管理システム１００の各構成の詳細について説明する。
携帯通信端末１は、例えば、携帯電話機やスマートフォン、タブレット端末等、携帯可能な通信端末装置であり、医薬品を服用するべき患者が保有するものである。携帯通信端末１は、無線あるいは有線にてネットワーク６に接続可能である。さらに、携帯通信端末１は、ＮＦＣ等の近距離無線通信により、処方箋タグ２や医薬品タグ３と近接させることにより、処方箋タグ２や医薬品タグ３に記憶された情報を読み取ることができる。
また、携帯通信端末１には、予めネットワーク６を介して、患者の服薬を管理するための服薬管理アプリケーションがダウンロードおよびインストールされている。
この服薬管理アプリケーションの詳細については後述する。
【００２１】
処方箋タグ２は、医療機関により提供される医薬品に付随したレシート等に貼付されたＮＦＣタグ等の近距離無線通信タグである。近距離無線通信タグは、アンテナと、アンテナを介して数センチメートル〜十数センチメートル程度の比較的近距離で無線給電を受けて無線通信を行うＩＣチップとで構成されている。
通常、医療機関において、医師が作成した処方箋に基づいて薬剤師が医薬品を処方することにより医薬品が患者に提供される。この際、患者の医薬品に対する理解を深めるために、薬剤師は、提供する医薬品に関する情報が記載された紙片等を医薬品に添付して患者に渡すことが多い。この医薬品に関する情報が記載された紙片を、本実施形態ではレシートと称する。
処方箋タグ２には、医薬品の処方箋に対応する識別子（処方箋ＩＤ）が記憶されている。処方箋タグ２は、本発明の処方箋ＩＤタグに対応する。
【００２２】
医薬品タグ３は、医薬品パッケージの内部に、医薬品とともに封入されたＮＦＣタグ等の近距離無線通信タグである。
図２は、医薬品タグ３を含む医薬品パッケージ２０の構成の一例を示す図である。
図２に示すように、医薬品２１と医薬品タグ３とがパッケージ素材２２および２３の間に配置される。図２（ａ）は、パッケージ素材２２と２３とが貼り合わされる前の状態を示した図である。図２（ｂ）は、パッケージ素材２２と２３とが、医薬品２１と医薬品タグ３とを間に挟んだまま貼り合わされた後の状態を横から見た図である。
医薬品が患者に提供される際には、図２（ｂ）に示すように、パッケージ素材２２と２３の周辺部が貼り合わされることにより、医薬品２１と医薬品タグ３とが内部に封入された医薬品パッケージ２０が生成される。
【００２３】
ここで、パッケージ素材２２および２３は、医薬品タグ３が通信に使用する帯域の電波を通さない素材で構成される。これにより、医薬品パッケージ２０の封が破られ、医薬品が外部に取り出される、すなわち医薬品が服用可能な状態となるまで、医薬品タグ３に記憶された情報は、携帯通信端末１等による読み取りが不可能となっている。
医薬品タグ３には、医薬品の種類に対応する識別子（医薬品ＩＤ）が記憶されている。医薬品タグ３は、本発明の医薬品ＩＤタグに対応する。
【００２４】
医療機関端末４は、例えば病院や薬局等、患者に対して医薬品を処方する医療機関に設置され、医師や薬剤師により操作される端末装置である。具体的には、医療機関端末４は、ＰＣ（パーソナルコンピュータ）やタブレット端末等、表示と操作入力を好適に行うことができる端末装置であればよい。
【００２５】
例えば薬剤師が処方箋に従い医薬品を処方する際に、薬剤師は医療機関端末４を介して、処方する医薬品の処方箋に対応する識別子（処方箋ＩＤ）と、処方内容に関する情報である処方内容情報とを入力する。処方内容情報とは、具体的には、例えば患者に関する情報（名前、性別、年齢、生年月日等）、処方する医薬品の種類や名称等、処方する医薬品の画像、医薬品の服用時期（食前、食後等）や服用量等である。
あるいは、医療機関端末４において、薬剤師ではなく、医師が直接、処方箋ＩＤと処方内容に関する情報とを入力するようにしてもよい。
なお、ここで入力された処方箋ＩＤと処方内容情報とは、ネットワーク６を介して後述するデータ管理サーバ５に送信され、互いに関連付けられて記憶される。
【００２６】
データ管理サーバ５は、医療機関端末４において医師あるいは薬剤師により入力された処方箋ＩＤと処方内容情報とを互いに関連付けて記憶および管理する。そして、携帯通信端末１や医療機関端末４からのアクセスに応じて、要求された情報を提供する。さらに、携帯通信端末１から送信される、医薬品の服用記録に関する情報を、当該医薬品に対応する処方箋ＩＤと関連付けて記憶および管理する。
データ管理サーバ５の詳細な動作例については後述する。
【００２７】
図３は、携帯通信端末１の構成の一例を示す図である。
図３に示すように、携帯通信端末１は、表示部１１、操作部１２、近距離無線通信部１３、ネットワーク通信部１４、近距離無線通信アンテナ１５、ネットワークアンテナ１６、メモリ１７、ＣＰＵ１８、バッテリ１９を有する。
【００２８】
表示部１１は、液晶ディスプレイ、有機ＥＬ（Electro Luminescence）ディスプレイ等、ＣＰＵ１８により実行される種々のアプリケーションソフトウェアの実行結果等を表示する表示デバイスである。
操作部１２は、例えばタッチパネルやテンキー等の操作デバイスであり、ユーザの操作を受け付ける。
【００２９】
近距離無線通信部１３は、近距離無線通信タグ、すなわち処方箋タグ２や医薬品タグ３との近距離無線通信を行うための通信デバイスである。
ネットワーク通信部１４は、携帯電話回線等を用いてネットワーク６との通信を行う通信デバイスである。
【００３０】
近距離無線通信アンテナ１５は、近距離無線通信部１３による、ＮＦＣ等の近距離無線通信に使用される内蔵アンテナである。例えば１３．５６ＭＨｚ等、ＭＨｚ周波数帯の電波を用いた送受信を行う。また、近距離無線通信アンテナ１５は、近距離無線通信タグに対して無線での給電を行う。
ネットワークアンテナ１６は、ネットワーク通信部１４による、携帯電話回線等を用いたネットワーク６との無線通信に使用される内蔵アンテナであり、近距離無線通信部１３と近距離無線通信アンテナ１５との通信に使用される周波数帯より高い周波数帯である、例えば８００ＭＨｚ〜２ＧＨｚ帯の電波を用いた送受信を行う。
【００３１】
このように、本発明の実施形態に係る携帯通信端末１では、２つの通信部（近距離無線通信部１３およびネットワーク通信部１４）および２つのアンテナ（近距離無線通信アンテナ１５およびネットワークアンテナ１６）を有するが、使用する周波数帯域が大幅に異なるので混信は生じない。
【００３２】
メモリ１７は、フラッシュメモリ等、複数回の書き込みが可能な記憶媒体であり、ＣＰＵ１８が行う処理に使用される各種データ（各種アプリケーションソフトウェアや、画像データ等）を記憶する記憶媒体である。
【００３３】
ＣＰＵ（Central Processing Unit）１８は、携帯通信端末１において実行される各種処理の制御を行う。すなわち、ＣＰＵ１８は、例えば、各種アプリケーションソフトウェアの実行、上記携帯通信端末１の各種構成の制御、等を行う。ＣＰＵ１８が実行するアプリケーションソフトウェアは、例えば服薬管理アプリケーションである。服薬管理アプリケーションの詳細については後述する。
【００３４】
バッテリ１９は、携帯通信端末１の各構成部に電力を供給する。
また、ＣＰＵ１８は、処方箋タグ２や医薬品タグ３と近距離無線通信を行うときに、通信を行うタグに非接触電力伝送を行うことにより、バッテリ１９から供給される電力を給電する。
【００３５】
図４は、処方箋タグ２および医薬品タグ３を構成する近距離無線通信タグ３０の一例を示す図である。
ＩＣ（Integrated Circuit）チップ３１は、アンテナ３２を介して携帯通信端末１からの給電を受け、データの送受信を行うとともに、携帯通信端末１から受信したデータをメモリに記憶し、またメモリに記憶した情報を携帯通信端末１に対して送信する。メモリは図示しないが、例えばＩＣチップ３１が内蔵すればよい。
【００３６】
図５は、医療機関端末４の構成の一例を示す図である。
図５に示すように、医療機関端末４は、表示部４１、操作部４２、近距離無線通信部４３、ネットワーク通信部４４、近距離無線通信アンテナ４５、ＣＰＵ４６を有する。
表示部４１は、液晶ディスプレイ、有機ＥＬディスプレイ等、ＣＰＵ４６により実行される種々のアプリケーションソフトウェアの実行結果等を表示する表示デバイスである。
操作部４２は、例えばタッチパネルやキーボード等の操作デバイスであり、ユーザの操作を受け付ける。
【００３７】
近距離無線通信部４３は、近距離無線通信タグとの近距離無線通信が可能な通信デバイスである。
ネットワーク通信部４４は、ネットワーク６を介した通信を行うための通信デバイスである。
近距離無線通信アンテナ４５は、近距離無線通信部４３による近距離無線通信に使用される内蔵アンテナである。近距離無線通信アンテナ４５は、例えば処方箋タグ２との近距離無線通信に使用される。
ＣＰＵ４６は、医療機関端末４において実行される各種処理の制御を行う。
【００３８】
図６は、データ管理サーバ５の構成の一例を示す図である。
図６に示すように、データ管理サーバ５は、ネットワーク通信部５１、データ管理部５２、メモリ５３を有する。
ネットワーク通信部５１は、ネットワーク６を介した通信を行うための通信デバイスである。
データ管理部５２は、メモリ５３におけるデータの記憶を管理する。
メモリ５３は、大容量の記憶装置であり、種々のデータを記憶する。メモリ５３に記憶されるデータは、例えばネットワーク６を介して携帯通信端末１や医療機関端末４から送信されたデータである。
【００３９】
次に、携帯通信端末１で動作する服薬管理アプリケーションについて説明する。
服薬管理アプリケーションは、携帯通信端末１上で、ユーザである患者が服用するべき医薬品の種類、服薬するべき時間、服薬すべき量、医薬品の種類、服薬履歴等を管理するためのアプリケーションである。
【００４０】
患者は、医療機関から受け取った医薬品に関して、携帯通信端末１を利用した服薬の管理を希望する場合には、予め、自らの有する携帯通信端末１に、ネットワーク６を介して所定のデータサーバから服薬管理アプリケーションをダウンロードし、インストールする。所定のデータサーバは、例えば服薬管理システム１００の図示しないデータサーバや、携帯通信端末１のキャリアあるいはアプリケーションベンダーが用意するデータサーバである。服薬管理アプリケーション自体は、服薬管理システム１００の管理者が作成し、上記所定のデータサーバを介してユーザへと提供するものである。
【００４１】
服薬管理アプリケーションは、以下説明する複数の動作を行う。
（動作１）生活時間情報登録
（動作２）患者属性登録
（動作３）処方箋ＩＤの読み取り
（動作４）処方内容情報の取得
（動作５）服薬スケジュール登録
（動作６）報知
（動作７）医薬品ＩＤの読み取り
（動作８）服薬記録をデータ管理サーバ５に送信
【００４２】
服薬管理アプリケーションの各動作の詳細について説明する。
（動作１：生活時間情報登録）
携帯通信端末１に服薬管理アプリケーションがインストールされると、服薬管理アプリケーションは初めに、携帯通信端末１に生活時間情報登録画面を表示し、患者に情報の登録を促す。
【００４３】
生活時間情報登録画面は、例えば患者の食事の時間や就寝時間、起床時間等、服薬時間の候補となるべき患者の生活サイクルを登録する画面である。生活時間情報登録画面では、患者が自らの起床時間や食事の時間を自ら入力してもよいが、入力の手間を軽減するために、予め設定されたモデルケースを選択することで食事の時間や就寝時間を選択可能であるようにしてもよい。モデルケースとしては、例えば、「早朝タイプ」「普通タイプ」「夜型タイプ」を選択可能とし、「早朝タイプ」は起床４時、朝食５時、昼食１１時、夕食１７時、就寝２１時、「普通タイプ」は起床６時、朝食７時、昼食１２時、夕食１９時、就寝２３時、「夜型タイプ」は起床１０時、朝食１１時、昼食１４時、夕食２１時、就寝３時、とする。また、モデルケースを選択後、いずれかの時間を任意の時間に再設定可能であるようにしてもよい。
【００４４】
（動作２：患者属性登録）
服薬管理アプリケーションは、動作１の生活時間情報登録に続いて、患者属性の登録画面を表示し、患者に属性の登録を促す。
患者の属性とは、ここでは例えば性別、年齢（年代）、病名等、患者の個人情報に該当する情報を指す。また、患者属性の登録とともに、服薬管理アプリケーションにより収集される種々の情報が、医療機関以外の第三者、例えば服薬管理システム１００の管理者等により活用されることに同意するか否かの選択を行うようにしてもよい。この際、服薬管理システム１００の管理者が、服薬管理アプリケーションにより収集される種々の情報を利用して、どのようなことを行うのかを患者に対して明示し、患者の了解を得られるようにすることが望ましい。
【００４５】
（動作３：処方箋ＩＤの読み取り）
服薬管理アプリケーションは、患者に処方された医薬品に添付するレシートに貼付された処方箋タグ２に記憶された処方箋ＩＤを取得する。
具体的には、患者が医薬品を処方された後、服薬管理アプリケーションを起動すると、既に生活時間情報と患者属性の登録が完了した服薬管理アプリケーションは、処方箋タグ２の読み取りを促す画面を携帯通信端末１に表示させる。これに従って患者が携帯通信端末１をレシートに貼付された処方箋タグ２に近づけることによって、携帯通信端末１により処方箋タグ２に記憶された、患者に処方された医薬品に対応する処方箋ＩＤが読み取られる。
【００４６】
処方箋ＩＤとは、上記説明したように、病院等において医師が患者を診察した後、投薬の必要がある場合に、医師が作成した、処方すべき医薬品を薬剤師に指示するための処方箋それぞれに付与された識別子である。
【００４７】
（動作４：処方内容情報の取得）
処方箋ＩＤは、上記説明したように、処方内容情報、すなわち、例えば患者に関する情報（名前、性別、年齢、生年月日等）、処方する医薬品の種類や名称等、処方する医薬品の画像、医薬品の服用時期（食前、食後等）や服用量等、の情報と関連付けられてデータ管理サーバ５に記憶されている。
したがって、服薬管理アプリケーションは、動作３において読み取った処方箋ＩＤを、ネットワーク６を介してデータ管理サーバ５に送信するとともに、読み取った処方箋ＩＤに関連付けられた処方内容情報をデータ管理サーバから取得する。
【００４８】
（動作５：服薬スケジュール登録）
服薬管理アプリケーションは、動作４において取得した処方内容情報に基づいて、医薬品の服用時期を示す情報を携帯通信端末１に表示させるとともに、服薬スケジュールの登録を行う。
ここで、服薬管理アプリケーションは、動作１において登録された患者の食事時間等に応じて、医薬品の服用時期のスケジュール登録を行う。
【００４９】
具体的には、例えば、朝食後と夕食後とに服用すべきである医薬品の場合、動作１において患者が朝食を７時に、夕食を１９時に摂取するように登録したとすると、服薬管理アプリケーションは、例えば以下のような形式で服用時期を示す服用時期情報を作成する。
【００５０】
＜服用時期情報の例＞
「医薬品１」
・７時（朝食後）
・１９時（夕食後）
【００５１】
服薬管理アプリケーションは、上述したように作成した服用時期情報を登録する。  服薬管理アプリケーションは、患者の要望に応じて、例えば服用時期のスケジュール一覧を作成してカレンダー形式等で表示したり、特定の一日のみの服用時期スケジュールを表示したり、といった様々な形態での服用時期スケジュールの表示を行う。また、後述するように、服用時期スケジュールに合わせて、患者に対する報知を行う。
【００５２】
なお、医薬品が複数種類処方されている場合には、服薬管理アプリケーションは、医薬品ごとに服用時期情報の作成を行い、表示するとともに、すべての医薬品の服用時期をスケジュール登録する。ここで、服薬管理アプリケーションは、医薬品ごとに作成した服用時期情報を表示する際に、対応する医薬品の画像や服用量をともに表示することで、患者がどの医薬品をどれだけ服用すればよいかわからない、という事態を回避することができる。
【００５３】
（動作６：報知）
動作５において登録されたスケジュールに従って、服用管理アプリケーションは服用時期を報知する。具体的には、例えば動作１において患者の朝食の時間が１０時に登録されており、動作４において取得した医薬品の服用時期が朝食後であった場合、１０時になった時点で、服用すべき医薬品の画像や、服用量、「この薬を服用して下さい」等の報知文等を携帯通信端末１に表示するとともに、図３に図示しないスピーカ等からアラーム音等の報知音を鳴らすことにより、患者に医薬品の服用を思い出させることができるようになる。
【００５４】
（動作７：医薬品ＩＤの読み取り）
動作６により、服用管理アプリケーションは患者に所定の服用時期に医薬品を服用することを思い出させることができる。
ここで、上記説明したように、本実施形態の服薬管理システム１００においては、医薬品２１と当該医薬品に関する情報が書き込まれた近距離無線通信タグである医薬品タグ３とがパッケージ素材２２および２３により封入されることにより医薬品パッケージ２０が構成される。パッケージ素材２２および２３はそれぞれ医薬品タグ３の通信に使用される帯域の電波を遮断する素材でできているため、パッケージ素材２２および２３による封が破られるまでは、例え医薬品パッケージ２０に携帯通信端末１を近づけたところで、携帯通信端末１と医薬品タグ３との近距離無線通信を行うことはできない。
【００５５】
そして、動作６により医薬品の服用を思い出した患者が、医薬品パッケージ２０の封を破って医薬品２１を取り出し服用した後は、医薬品タグ３に携帯通信端末１を近づけることで、携帯通信端末１の服薬管理アプリケーションは、医薬品タグ３に記憶された医薬品ＩＤを読み取ることができるようになる。
携帯通信端末１の服薬管理アプリケーションは、医薬品タグ３から読み取った医薬品ＩＤを受け取る。服薬管理アプリケーションは、医薬品ＩＤを受け取ったことを条件に、その服用時期における医薬品の服用が完了したことを記録する。この記録を服薬記録情報と称する。
【００５６】
また、服薬管理アプリケーションは、患者の要望に応じて、患者が所望する服薬記録情報を携帯通信端末１の表示部に表示する。これにより、患者は自らが服用した医薬品の履歴を自由に参照することができる。
【００５７】
（動作８：服薬記録をデータ管理サーバ５に送信）
服薬管理アプリケーションは、動作７において作成した服薬記録情報をネットワーク６を介してデータ管理サーバ５に送信する。
データ管理サーバ５は、送信された服薬記録情報を、対応する処方箋ＩＤおよび処方内容情報と関連付けて記憶および管理する。そして、データ管理サーバ５は、記憶および管理する情報を、医療機関や服薬管理システム１００の管理者の要求に応じて開示する。
【００５８】
次に、服薬管理システム１００の各構成の具体的な動作例について説明する。
図７は、患者が服薬管理システム１００の利用登録を行うときの動作例を説明するフローチャートである。
【００５９】
患者が保有する携帯通信端末１は、ネットワーク６を介して所定のデータサーバから服薬管理アプリケーションをダウンロードする（ステップＳＴ１０１）。
所定のデータサーバとは、上述したように、例えば服薬管理システム１００の図示しないデータサーバや、携帯通信端末１のキャリアあるいはベンダーが用意するデータサーバである。
また、携帯通信端末１において、ダウンロードした服薬管理アプリケーションをインストールし、使用可能とする。
【００６０】
服薬管理アプリケーションのインストール完了後、服薬管理アプリケーションの初回起動時に、携帯通信端末１の服薬管理アプリケーションは、生活時間情報入力画面を携帯通信端末１に表示させ、生活時間情報の入力を受け付ける（ステップＳＴ１０２）。
患者が画面の指示に従い、生活時間情報、すなわち、食事の時間や起床および就寝時間等を入力したら、携帯通信端末１は入力された生活時間情報を携帯通信端末１のメモリ１７等に記憶するとともに、データ管理サーバ５に送信してステップＳＴ１０３に進む。
【００６１】
データ管理サーバ５は、ステップＳＴ１０２において携帯通信端末１から送信された生活時間情報を受信し、これを記憶および管理する（ステップＳＴ１１１）この際、患者を識別するための識別番号で有る患者ＩＤを患者ごとに付与し、生活時間情報と関連付けて患者ＩＤをともに記憶することが望ましい。患者ごとに患者ＩＤを付与することで、同一患者の各種情報を関連付けて記憶および管理することが容易となるからである。
【００６２】
携帯通信端末１の服薬管理アプリケーションは、ステップＳＴ１０２における生活時間情報の入力に続いて、患者属性の入力画面を携帯通信端末１に表示する（ステップＳＴ１０３）。そして、属性情報が入力されたら、携帯通信端末１は入力された属性情報を携帯通信端末１のメモリ１７等に記憶するとともに、データ管理サーバ５に送信する。
ここで、携帯通信端末１の服薬管理アプリケーションは、患者がその属性情報を医療機関や服薬管理システム１００の管理者等の第三者に活用されてもよいか否かの選択画面を表示部１１に表示し、「よい」が選択された場合のみ、入力された属性情報をデータ管理サーバ５に送信するようにしてもよい。この場合、「否」が選択されたときは、携帯通信端末１内でのみ入力された属性情報を扱い、データ管理サーバ５には送信しないようにすればよい。
【００６３】
データ管理サーバ５は、ステップＳＴ１０３において携帯通信端末１から属性情報が送信された場合、これを受信し、ステップＳＴ１１１において記憶した生活時間情報および患者ＩＤと関連付けて記憶および管理する（ステップＳＴ１１２）。
【００６４】
次に、患者が医療機関において医薬品の処方を受けるときの服薬管理システム１００の動作例について説明する。
図８は、患者が医療機関において医薬品の処方を受けるときの服薬管理システム１００の動作例を示すフローチャートである。
【００６５】
薬剤師等が操作する医療機関端末４は、操作に従い、処方箋ＩＤを発行する（ステップＳＴ２１１）。具体的には、薬剤師は医師等が作成した処方箋に基づいて医薬品を処方するが、薬剤師が医師から処方箋を受け取ったとき、その新たな処方箋を受け取ったことを医療機関端末４に入力すると、医療機関端末４は自動的に新たな識別番号である処方箋ＩＤをその処方箋に対して付与する。
【００６６】
処方箋ＩＤの発行に続いて、医療機関端末４は、処方内容情報の入力を受け付ける（ステップＳＴ２１２）。具体的には、例えば医療機関端末４は、ステップＳＴ２１１における処方箋ＩＤの発行を完了すると、自動的にその処方箋ＩＤに対応する処方内容情報の入力画面を表示し、薬剤師の入力に従って処方内容情報の入力を受け付けるようにすればよい。
ここで、処方内容情報とは、患者に関する情報（患者名、性別、年齢等）、処方すべき医薬品の種類や名称、医薬品の画像データ、医薬品の服用時期に関する情報、服用量等、処方箋に記載された内容に関する情報である。
医療機関端末４は、処方箋ＩＤと入力された処方内容情報を、ネットワーク６を介して自動的にデータ管理サーバ５に送信する。また、医療機関端末４は、近距離無線通信を行って処方箋ＩＤを処方箋タグ２に送信する。具体的には、処方内容情報を入力した薬剤師等が、情報を書き込み可能な処方箋タグ２を医療機関端末４の近距離無線通信アンテナ４５に近づけておき、医療機関端末４上で処方箋ＩＤの書き込み操作を行うことにより、近距離無線通信部４３および近距離無線通信アンテナ４５を介して処方箋ＩＤを処方箋タグ２に送信する。
【００６７】
ステップＳＴ２１２において医療機関端末４から処方箋ＩＤおよび処方内容情報を受信したデータ管理サーバ５は、受信した処方箋ＩＤと処方内容情報とを関連付けて記憶および管理する（ステップＳＴ２２１）。
【００６８】
また、医療機関端末４から処方箋ＩＤを受信した処方箋タグ２は、受信した処方箋ＩＤをメモリに書き込む（ステップＳＴ２０１）。
このように処方箋ＩＤを記憶した処方箋タグ２は、医薬品についての情報が書かれたレシートに薬剤師の手によって貼付され、処方された医薬品とともに患者に渡される。
【００６９】
このように患者に医薬品が渡された後、次に携帯通信端末１において、患者が医薬品の登録を行うことで、携帯通信端末１の服薬管理アプリケーションによって、服薬管理が行われる。
以下携帯通信端末１における、医薬品の登録処理について説明する。
図９は、服薬管理アプリケーションに医薬品の登録をするときの動作例を示すフローチャートである。
【００７０】
携帯通信端末１において、医薬品を受け取った患者の操作に応じて、服薬管理アプリケーションが起動する（ステップＳＴ３１１）。起動した服薬管理アプリケーションは、例えば処方箋タグ２の読み取りを患者に要求する画面等を携帯通信端末１に表示させることにより、携帯通信端末１と処方箋タグ２とを近接させるよう患者に促す。携帯通信端末１と処方箋タグ２とが近接したら、服薬管理アプリケーションは処方箋タグ２から処方箋ＩＤを読み取る（ステップＳＴ３０１、ＳＴ３１２）。
【００７１】
携帯通信端末１において、服薬管理アプリケーションは、ステップＳＴ３１２において読み取った処方箋ＩＤを、ネットワーク６を介してデータ管理サーバ５に送信する（ステップＳＴ３１３）。
データ管理サーバ５は、ステップＳＴ３１３において携帯通信端末１から送信された処方箋ＩＤを受信すると、受信した処方箋ＩＤに対応する処方内容情報を読み出して、ネットワーク６を介して携帯通信端末１に対して送信する（ステップＳＴ３２１）。
【００７２】
携帯通信端末１は、データ管理サーバ５から送信された処方内容情報を受信する（ステップＳＴ３１４）。そして、携帯通信端末１において、服薬管理アプリケーションは、ステップＳＴ３１４において受信した処方内容情報と、ステップＳＴ１０２に置いて入力された生活時間情報とに基づいて、患者が服薬するべきである時間を示す服用時期情報を作成する（ステップＳＴ３１５）。さらに、服薬管理アプリケーションは、作成した服用時期情報をスケジュール登録する（ステップＳＴ３１６）。これにより、服薬管理アプリケーションは、患者の要求に応じて服薬スケジュールの表示を行ったり、服用時期が来たら報知を行ったりすることができる。
【００７３】
以下、携帯通信端末１において、服用時期が来たときに患者に対して報知を行う場合の動作例を説明する。
図１０は、服用時期が来たときに患者に対して報知を行う場合の動作例を示すフローチャートである。
【００７４】
携帯通信端末１は、ステップＳＴ３１６において登録された服用時期情報に従って、登録された服用時期が来たか否かの判定を行う（ステップＳＴ４０１）。服用時期が来たと判定した場合はステップＳＴ４０２に進み、来ていないと判定した場合はステップＳＴ４０１を繰り返す。
携帯通信端末１において、服薬管理アプリケーションは、報知動作を行う。報知動作は、例えば、服用すべき医薬品の画像や服用量を表示したり、アラーム音を鳴らしたりする動作を含む。
【００７５】
このようにして、服薬管理アプリケーションは、登録された医薬品を服用すべき時間を患者に対して報知することができる。これにより、患者の医薬品の飲み忘れを防止することが期待できる。
次に、医薬品を服用後の動作例について説明する。
図１１は、医薬品を服用後の動作例を示すフローチャートである。
【００７６】
携帯通信端末１の服薬管理アプリケーションは、患者の服薬後、医薬品パッケージ２０が開封されることにより読み取り可能となった医薬品タグ３と近距離無線通信を行うことにより、医薬品タグ３から医薬品ＩＤを読み取る（ステップＳＴ５０１）。ステップＳＴ５０１における読み取り要求を受けた医薬品タグ３は、医薬品ＩＤを携帯通信端末１に対して送信する（ステップＳＴ５１１）。
【００７７】
医薬品タグ３から送信された医薬品ＩＤを受け取った携帯通信端末１の服薬管理アプリケーションは、医薬品ＩＤに基づいて、服薬記録情報を作成する（ステップＳＴ５０２）。服薬記録情報とは、上述したように、その服用時期における服薬が完了したことを示す情報であり、服用時期（医薬品を服用した時間や日付等）と医薬品ＩＤとを少なくとも含む。
次に、携帯通信端末１の服薬管理アプリケーションは、ステップＳＴ５０２において作成した服薬記録情報をデータ管理サーバ５に対して送信する（ステップＳＴ５０３）。
【００７８】
ステップＳＴ５０３において送信された服薬記録情報を受信したデータ管理サーバ５は（ステップＳＴ５２１）、送信された服薬記録情報と、送信元の携帯通信端末１に対応する患者ＩＤとを関連付けて記憶する（ステップＳＴ５２２）。これにより、データ管理サーバ５において、患者ＩＤと、生活時間情報、患者の属性情報および服薬記録情報とが、互いに関連付けられて記憶されることになる。
【００７９】
次に、携帯通信端末１において、患者により服薬記録情報の閲覧要求があったか否かを判定する（ステップＳＴ５０４）。服薬記録情報の閲覧要求があったと判定した場合はステップＳＴ５０５に進み、そうでない場合はステップＳＴ５０４を繰り返す。
携帯通信端末１の服薬管理アプリケーションは、ステップＳＴ５０４における服薬記録情報閲覧要求に応じて、服薬記録情報の表示を行う。
【００８０】
以上説明したように、本実施形態の服薬管理システム１００では、処方内容情報と関連付けられた処方箋ＩＤを記憶する処方箋タグ２が貼付されたレシートを医薬品とともに患者に渡し、一方でデータ管理サーバ５において処方箋ＩＤと処方内容情報とを関連付けて記憶および管理することにより、患者が有する携帯通信端末１が処方箋タグ２から処方箋ＩＤを読み取り、読み取った処方箋ＩＤをデータ管理サーバ５に問い合わせることで、携帯通信端末１にて処方内容情報を受信することが可能となる。
【００８１】
ここで、携帯通信端末１において、患者が予め患者の食事や起床、就寝時間等、患者の生活サイクルを示す生活時間情報を登録する。医薬品ごとに服用時間を登録するのと比較して、生活時間情報の入力は、その入力量が少なくて済むため、患者に係る負担も少ない。
また、携帯通信端末は、生活時間情報と、受信した処方内容情報とに基づいて、具体的な服薬時期を示す服用時期情報を作成し、これに基づいて服薬スケジュールを登録することができる。携帯通信端末１は、服用時期情報に従って、服用時期には患者に服薬を促すための報知を行うことができるので、患者の医薬品の飲み忘れを防止することができるようになる。
【００８２】
また、医薬品を患者に渡すとき、医薬品２１と医薬品タグ３とが電波を遮断するパッケージ素材により封入された医薬品パッケージ２０を渡すことにより、患者が携帯通信端末１の報知動作に応じて服薬を行ったとき、医薬品パッケージ２０が開封されてはじめて携帯通信端末１と医薬品タグ３との近距離無線通信を行うことができ、医薬品タグ３に記憶された医薬品ＩＤを読み取ることができるようになる。携帯通信端末１は、医薬品ＩＤを読み取ったことを条件に、患者が服薬を完了したと判断し、患者の服薬履歴を示す服薬記録情報を作成する。
【００８３】
このため、患者は服用した医薬品のパッケージの残骸に携帯通信端末１を近づけるだけで、服薬したことを記録できるため、患者が服薬したことを記録するための手間を軽減することができる。また、医薬品のパッケージを開封しないと医薬品ＩＤを読み取ることができず、服薬記録情報が作成されないので、患者は服薬について虚偽の記録を行うことが難しく、服薬記録情報の正確性が向上する。
【００８４】
また、患者の食事時間等を示す生活時間情報や、患者の年齢、性別等の個人情報を示す属性情報、携帯通信端末１において作成された服薬記録情報は、データ管理サーバ５において、患者の識別情報である患者ＩＤにより互いに関連付けられて一元的に記憶および管理されるので、例えば医師や第三者がデータ管理サーバ５に記憶されている各種情報を参照して活用する際に、活用しやすい環境が構築されている。
【００８５】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００８６】
上述した実施形態では、データ管理サーバ５において、生活時間情報、属性情報および服薬記録情報が、患者ＩＤにより互いに関連付けられて一元的に記憶および管理されており、それとは別に、処方箋ＩＤと処方内容情報とが関連付けられて記憶および管理されていた。すなわち、患者ＩＤ、生活時間情報、属性情報および服薬記録情報と、処方箋ＩＤおよび処方内容情報とは互いに無関係にデータ管理サーバ５において記憶および管理されていた。
しかし、例えばデータ管理サーバ５に対して携帯通信端末１が処方箋ＩＤを送信し、処方内容情報を要求するとき、データ管理サーバ５において送信された処方箋ＩＤを携帯通信端末１に対応する患者ＩＤと関連付けることで、上述した各種情報をデータ管理サーバ５の中ですべて関連付けて記憶および管理するようにしてもよい。
このようにすれば、データ管理サーバ５側でも患者の服用時期等を把握することができるようになり、例えば携帯通信端末１以外の患者が保有する端末に向けて服薬報知指示を行うことができるようになる。
【００８７】
また、上述した実施形態では、医療機関が患者に医薬品を渡すとき、レシートを同時に渡し、そのレシートに処方箋タグ２が貼付されているとしたが、本発明はこれには限定されない。処方箋ＩＤが記憶された処方箋タグ２は、例えば単体で患者に渡されてもよいし、レシート以外の紙片に貼付されて患者に渡されてもよい。
【符号の説明】
【００８８】
１００・・・服薬管理システム、１・・・携帯通信端末、２・・・処方箋タグ、３・・・医薬品タグ、４・・・医療機関端末、５・・・データ管理サーバ、６・・・ネットワーク、１１・・・表示部、１２・・・操作部、１３・・・近距離無線通信部、１４・・・ネットワーク通信部、１５・・・近距離無線通信アンテナ、１６・・・ネットワークアンテナ、１７・・・メモリ、１８・・・ＣＰＵ、１９・・・バッテリ、２０・・・医薬品パッケージ、２１・・・医薬品、２２・・・パッケージ素材、２３・・・パッケージ素材、３０・・・近距離無線通信タグ、３１・・・ＩＣチップ、３２・・・アンテナ、４１・・・表示部、４２・・・操作部、４３・・・近距離無線通信部、４４・・・ネットワーク通信部、４５・・・近距離無線通信アンテナ、５１・・・ネットワーク通信部、５２・・・データ管理部、５３・・・メモリ
【図１】
2015153028.tif 000003
【図２】
2015153028.tif 000004
【図３】
2015153028.tif 000005
【図４】
2015153028.tif 000006
【図５】
2015153028.tif 000007
【図６】
2015153028.tif 000008
【図７】
2015153028.tif 000009
【図８】
2015153028.tif 000010
【図９】
2015153028.tif 000011
【図１０】
2015153028.tif 000012
【図１１】
2015153028.tif 000013